(57)【特許請求の範囲】
【請求項１】
地表に立設する円筒形状のポール本体と、取付面が平坦なコンセントと、前記コンセントを前記ポール本体に取り付けるための取付金具とを備え、前記取付金具は、前記コンセントを着脱自在に取り付けるための平坦な面を有する第１取付部と、前記ポール本体への取付面が前記ポール本体の外周形状に沿って湾曲した第２取付部とを備えることを特徴とする電線引込支柱。
【請求項２】
地表に立設する円筒形状のポール本体と、取付面が平坦で且つ少なくともコンセントを取付可能な露出ボックスと、前記露出ボックスを前記ポール本体に取り付けるための取付金具とを備え、前記取付金具は、前記露出ボックスを着脱自在に取り付けるための平坦な面を有する第１取付部と、前記ポール本体への取付面が前記ポール本体の外周形状に沿って湾曲した第２取付部とを備えることを特徴とする電線引込支柱。
【請求項３】
請求項１又は２記載の電線引込支柱と、建物内に設置する分電盤とを備え、前記電線引込支柱から地中を通して前記建物内に引き回される電線を前記分電盤に配線し、前記コンセントには、前記分電盤から地中を通して前記電線引込支柱に引き回される電線を配線することを特徴とする配電システム。
【請求項４】
前記電線引込支柱は、前記ポール本体の中程に取り付けられるボックスを有し、前記ボックス内に、前記分電盤から地中を通して前記電線引込支柱に引き回される電線を配線する端子台を設け、前記コンセントは、前記端子台を介して配線されることを特徴とする請求項３記載の配電システム。
【発明の詳細な説明】
【技術分野】
【０００１】
本発明は、電源線や情報線等の電線を引き込むために立設する電線引込支柱及びそれを用いた配電システムに関する。
【背景技術】
【０００２】
従来から、地表に立設されて敷地外から主電線を引き込む電線引込ポールが知られており、例えば特許文献１に開示されている。この特許文献１に記載の電線引込ポールは、電線引込口を有する中空状のポール本体と、このポール本体の中程に連通接続されて付設されるボックスとを備える。
【０００３】
ポール本体は円筒形状で、住宅敷地内の地表に立設される。ボックスは縦長の矩形箱状で、箱本体と、この箱本体の正面側開口を開閉するカバー蓋体とで成る。このカバー蓋体を開閉してボックスの内部の機器を点検することができる。
【０００４】
この電線引込ポールにおいて、ボックス内にコンセントを収容設置し、電線引込口から引き込まれた主電線を分岐して、一方の分岐線をコンセントに接続する。主電線から分岐された他方の分岐線は、ポール本体の下端部から導出され、地中埋設配線を介して建物内の屋内配線へと配線される。
【先行技術文献】
【特許文献】
【０００５】
【特許文献１】特開２００４−８８８５４号公報
【発明の概要】
【発明が解決しようとする課題】
【０００６】
ところで、上記従来例では、ポール本体に付設されたボックス内にコンセントを収容する構成である。このため、コンセントに電源プラグを接続する際にはボックスのカバー蓋体を開閉する必要があり、接続作業が煩わしいという問題があった。この問題を解決する手段として、ボックスを介さずにポール本体にコンセントを直接取り付けることが考えられる。
【０００７】
しかしながら、上記従来例のような電線引込支柱では、ポール本体が円筒状に形成されたものが一般的である。一方、コンセントは、例えば壁面等の平坦な造営面に取り付けることを考慮して、その取付面を平坦に形成したものが一般的である。したがって、取付面が平坦なコンセントを円筒状のポール本体に安定して取り付けることができないという問題があった。
【０００８】
本発明は、上記の点に鑑みて為されたもので、取付面が平坦なコンセントを円筒状のポール本体に安定して取り付けることのできる電線引込支柱及びそれを用いた配電システムを提供することを目的とする。
【課題を解決するための手段】
【０００９】
本発明の電線引込支柱は、地表に立設する円筒形状のポール本体と、取付面が平坦なコンセントと、前記コンセントを前記ポール本体に取り付けるための取付金具とを備え、前記取付金具は、前記コンセントを着脱自在に取り付けるための平坦な面を有する第１取付部と、前記ポール本体への取付面が前記ポール本体の外周形状に沿って湾曲した第２取付部とを備えることを特徴とする。
【００１０】
本発明の電線引込支柱は、地表に立設する円筒形状のポール本体と、取付面が平坦で且つ少なくともコンセントを取付可能な露出ボックスと、前記露出ボックスを前記ポール本体に取り付けるための取付金具とを備え、前記取付金具は、前記露出ボックスを着脱自在に取り付けるための平坦な面を有する第１取付部と、前記ポール本体への取付面が前記ポール本体の外周形状に沿って湾曲した第２取付部とを備えることを特徴とする。
【００１１】
本発明の配電システムは、上記何れかの電線引込支柱と、建物内に設置する分電盤とを備え、前記電線引込支柱から地中を通して前記建物内に引き回される電線を前記分電盤に配線し、前記コンセントには、前記分電盤から地中を通して前記電線引込支柱に引き回される電線を配線することを特徴とする。
【００１２】
この配電システムにおいて、前記電線引込支柱は、前記ポール本体の中程に取り付けられるボックスを有し、前記ボックス内に、前記分電盤から地中を通して前記電線引込支柱に引き回される電線を配線する端子台を設け、前記コンセントは、前記端子台を介して配線されることが好ましい。
【発明の効果】
【００１３】
本発明は、コンセントをポール本体に取り付けるための取付金具を備えている。そして、取付金具は、平坦な面から成り且つコンセントを着脱自在に取付可能な第１取付部と、ポール本体への取付面がポール本体の外周形状に沿って湾曲した第２取付部とを備えている。したがって、本発明では、取付金具を用いることで、取付面が平坦なコンセントを円筒状のポール本体に安定して取り付けることができる。
【図面の簡単な説明】
【００１４】
【図１】本発明に係る電線引込支柱の実施形態１を示す図で、（ａ）は前面図で、（ｂ）は側面図で、（ｃ）は取付金具を前方から見た斜視図で、（ｄ）は取付金具を後方から見た斜視図で、（ｅ）はパッキンの斜視図である。
【図２】（ａ）は同上の電線引込支柱における取付金具の取付方法を示す斜視図で、（ｂ）は同上の電線引込支柱におけるキャップの取付方法を示す斜視図である。
【図３】同上の電線引込支柱におけるコンセントの取付方法を示す斜視図である。
【図４】本発明に係る配電システムの実施形態を示す全体概略図である。
【図５】同上の配電システムの他の構成を示す図で、（ａ）は全体概略図で、（ｂ）はボックス内部の一部拡大図である。
【図６】本発明に係る電線引込支柱の実施形態２を示す図で、（ａ）は前面図で、（ｂ）は側面図で、（ｃ）は取付金具を前方から見た斜視図で、（ｄ）は取付金具を後方から見た斜視図で、（ｅ）はパッキンの斜視図である。
【図７】同上の電線引込支柱における取付金具の取付方法を示す斜視図である。
【図８】同上の電線引込支柱におけるコンセント及びスイッチの取付方法を示す斜視図である。
【図９】同上の電線引込支柱における露出ボックスの分解斜視図である。
【発明を実施するための形態】
【００１５】
（実施形態１）
以下、本発明に係る電線引込支柱の実施形態１について図面を用いて説明する。なお、以下の説明では、図１（ｃ）に示す矢印で上下左右、及び前後の向きを定めるものとする。本実施形態は、図１（ａ），（ｂ）に示すように、ポール本体１と、コンセント２と、取付金具３と、ボックス４とを備える。
【００１６】
ポール本体１は円筒状に形成し、住宅敷地内の地表Ｇ１に立設する（図４（ａ）参照）。ポール本体１の上端には、電灯線や電話線等の主電線（図示せず）を引き込むための電線引込口（図示せず）を設けている。ポール本体１の上下方向における中程には、ボックス４を取り付けている。
【００１７】
ポール本体１におけるボックス４を設けた部位よりも下方には、図２（ａ）に示すように、後述する第２電線Ｌ２又は第３電線Ｌ３（図３〜５参照）を外部に引き出すための矩形状の引出し口１０を貫設している。この引出し口１０を挟んだ上下両側には、取付金具３をねじ止めするための取付孔１１をそれぞれ貫設している。
【００１８】
なお、取付金具３をポール本体１に取り付けない場合には、図２（ｂ）に示すように、引出し口１０をキャップ１２で閉塞する。キャップ１２は、鋼板から長円形状に形成し、ポール本体１の外周形状に沿うように湾曲している。キャップ１２の上下両端には、キャップ１２をポール本体１にねじ止めするための取付孔１２０をそれぞれ貫設している。したがって、ポール本体１の各取付孔１１と、キャップ１２の各取付孔１２０とに取付ねじＳ１を挿通してねじ止めすることにより、引出し口１０をキャップ１２で閉塞することができる。
【００１９】
コンセント２は、電気自動車またはプラグインハイブリッド自動車の充電に用いられる屋外用のＥＶコンセントである。コンセント２は、図３に示すように、ボディ２０と、化粧カバー２１と、コンセントカバー２２とを備える。ボディ２０には、電源プラグの栓刃を受ける栓刃挿入口（図示せず）を露出させた状態でコンセントブロック（図示せず）を収納する。化粧カバー２１は、中空状に形成した合成樹脂成形品であって、ボディ２０の上面、前面及び側面を覆うようにボディ２０に着脱自在に取り付ける。コンセントカバー２２は、半円形状に形成し、ボディ２０から露出した栓刃挿入口を閉塞する位置と開放する位置との間で回動自在となるようにボディ２０に取り付ける。
【００２０】
ボディ２０の後部には、上下方向に沿って長尺な平板状の基体２００を一体に形成している。基体２００の後面は、後述するパッキン、取付枠２３、取付金具３を介してコンセント２をポール本体１に取り付けるための平坦な取付面となっている。この基体２００の上端中央部及び下端中央部には、後述する取付枠２３にねじ止めするための取付孔２０１をそれぞれ貫設している。また、基体２００の中央部には、図示しないが第２電線Ｌ２又は第３電線Ｌ３をボディ２０内部に挿通するための開口を貫設している。
【００２１】
ボディ２０の上部には、取付孔２０１に挿通する取付ねじＳ２の頭部を避けるための凹部２０２を前後方向に亘って設けている。また、基体２００には、下側の取付孔２０１を閉塞するカバー２０３を設けている。このカバー２０３は、下側の取付孔２０１を閉塞する位置と開放する位置との間で回動自在となっている。
【００２２】
基体２００の後面には、パッキン（図示せず）と、取付枠２３とを取り付ける。パッキンは、例えば軟質塩化ビニル等の弾性材料から成り、基体２００の後面に取り付ける。このパッキンで基体２００と取付金具３との間を密着することにより、コンセント２と取付金具３との間から雨水等がコンセント２内部に浸入するのを防止することができる。パッキンの上端中央部及び下端中央部には、取付ねじＳ２を挿通可能な取付孔（図示せず）をそれぞれ貫設している。
【００２３】
また、基体２００の後面には、パッキンを挟む形で取付枠２３を取り付ける。取付枠２３は、例えば金属や樹脂などで形成し、その中央部には第２電線Ｌ２又は第３電線Ｌ３を挿通するための開口２３０を貫設している。開口２３０を挟んだ上下両側には、取付金具３にねじ止めするための第１取付孔２３１をそれぞれ貫設している。更に、各第１取付孔２３１を挟んだ上下両側には、コンセント２にねじ止めするための第２取付孔２３２をそれぞれ貫設している。
【００２４】
取付金具３は、鋼板から成り、図１（ｃ），（ｄ）に示すように後面を開口した矩形箱状に形成している。取付金具３の前面は、取付枠２３を介してコンセント２の後端部を取り付けることのできる平坦な面となっている。取付金具３の上下両側の側板３００は、それぞれその後端部がポール本体１の外周形状に沿うように湾曲している。したがって、取付金具３をポール本体１に取り付ける際に、各側板３００の後端部がポール本体１の外周面に当接するため、取付金具３を安定した状態でポール本体１に取り付けることができる。この各側板３００の後端部が第２取付部３１となる。
【００２５】
取付金具３の前面上側には、第２電線Ｌ２又は第３電線Ｌ３を挿通するための矩形状の窓孔３０１を貫設している。この窓孔３０１の内周縁には、図１（ｄ）に示すように、後向きに突出する突壁部３０２を周方向に亘って一体に形成している。また、窓孔３０１を挟んだ上下両側には、コンセント２をねじ止めするための第１取付孔３０３をそれぞれ貫設している。したがって、取付金具３の前面及び各第１取付孔３０３が、コンセント２を着脱自在に取付可能な第１取付部３０となる。更に、各第１取付孔３０３を挟んだ上下両側には、取付金具３をポール本体１にねじ止めするための第２取付孔３０４をそれぞれ貫設している。
【００２６】
取付金具３の後面には、図１（ｄ）に示すように、１対の補強板３０５を取り付けている。各補強板３０５は、それぞれ第２取付孔３０４と対向する位置に設けられており、その左右方向における中央部は後向きに突出するように折り曲げられている。また、各補強板３０５の左右方向における中央部には、取付ねじＳ１（図２（ａ）参照）を避けるための半円形状の切り欠き３０６をそれぞれ設けている。
【００２７】
各補強板３０５は、取付金具３をポール本体１に取り付ける際に、ポール本体１の外周面に当接する。これにより、取付ねじＳ１を過度に締め付けた場合にも、補強板３０５が取付金具３の前面とポール本体１との間の距離を一定に保つ。したがって、取付金具３の前面が取付ねじＳ１の締め付けにより撓むのを防止することができる。
【００２８】
取付金具３をポール本体１に取り付ける際には、パッキン３２も併せて取り付ける。パッキン３２は、例えばＥＰＤＭ（エチレンプロピレンジエンゴム）等の弾性材料から成り、図１（ｅ）に示すように矩形環状に形成している。パッキン３２の周縁には、後向きに突出する周壁部３２０を周方向に亘って形成している。この周壁部３２０は、取付金具３の突壁部３０２の外周面に密着する。また、パッキン３２の前端部には、ポール本体１の開口１０の内周縁に密着する封止部３２１を設けている。
【００２９】
ボックス４は、鋼板から縦長の矩形箱状に形成し、一面を開口した箱本体４０と、箱本体４０の開口を開閉する蓋体４１とで構成される。この蓋体４１を開閉することで、ボックス４内部の機器の観測や点検を行うことができる。ボックス４の内部には、図示しないが、電力量計、主幹ブレーカや温水器ブレーカ、電話保安器やＣＡＴＶ保安器等の機器を収納している。
【００３０】
ボックス４の後面、及びポール本体１におけるボックス４と対向する部位には、主電線をボックス４内に引き込むための開口（図示せず）をそれぞれ貫設している。この開口を介してポール本体１内部からボックス４内部に主電線を引き込み、各機器に配線している。そして、各機器からの第１電線Ｌ１は、同じ開口を介してポール本体１内部に引き戻し、更に地中を通して建物Ｈ１内に引き込み、分電盤Ａ１の主幹ブレーカＡ１に配線する（図４参照）。なお、分電盤Ａ１については後述の配電システムの実施形態において説明する。
【００３１】
以下、コンセント２をポール本体１に取り付ける方法について説明する。先ず、図２（ａ）に示すように、パッキン３２の封止部３２１をポール本体１の引出し口１０に嵌め込む。続いて、取付金具３の第２取付部３１をポール本体１の外周面に当接し、ポール本体１の各取付孔１１と取付金具３の各第２取付孔３０４に取付ねじＳ１を挿通し、取付金具３をポール本体１にねじ止めする。このとき、パッキン３２の周壁部３２０が取付金具３の突壁部３０２の外周面に密着する。これにより、取付金具３とポール本体１との間から雨水等が浸入するのを防止することができる。
【００３２】
次に、図３に示すように、取付金具３の各第１取付孔３０３と取付枠２３の各第１取付孔２３１に取付ねじＳ２を挿通し、取付枠２３をポール本体１にねじ止めする。続いて、ポール本体１の引出し口１０、取付金具３の窓孔３０１、取付枠２３の開口２３０に第２電線Ｌ２又は第３電線Ｌ３を通し、コンセント２に配線する。そして、基体２００の各取付孔２０１と取付枠２３の各第２取付孔２３２に取付ねじＳ２を挿通し、コンセント２を取付枠２３にねじ止めする。これにより、コンセント２を取付金具３を介してポール本体１に取り付けることができる。
【００３３】
上述のように、本実施形態では、コンセント２をポール本体１に取り付けるための取付金具３を備えている。そして、取付金具３は、平坦な面から成り且つコンセント２を着脱自在に取付可能な第１取付部３０と、ポール本体１への取付面がポール本体１の外周形状に沿って湾曲した第２取付部３１とを備えている。したがって、本実施形態では、取付金具３を用いることで、取付面が平坦なコンセント２を円筒状のポール本体１に安定して取り付けることができる。
【００３４】
なお、本実施形態では、コンセント２としてＥＶコンセントを用いているが、例えば防水コンセント等の他の屋外用のコンセントを用いてもよい。
【００３５】
ところで、上記の電線引込支柱は、主電線を建物Ｈ１内の屋内配線に配線するために用いられる。以下、上記の電線引込支柱を用いた配電システムの実施形態について図面を用いて説明する。本実施形態は、図４に示すように、電線引込支柱Ｐ１と、建物Ｈ１内に設置される分電盤Ａ１とを備える。分電盤Ａ１は、主幹ブレーカＡ１０と、複数（図示では３つ）の分岐ブレーカＡ１１とを備える。主幹ブレーカＡ１０の１次側端子には、電線引込支柱Ｐ１から地中を通って引き回される第１電線Ｌ１を配線する。主幹ブレーカＡ１０の２次側端子は、各分岐ブレーカＡ１１の１次側端子とそれぞれ接続している。
【００３６】
各分岐ブレーカＡ１１のうち何れか１つの分岐ブレーカＡ１１の２次側端子には、建物Ｈ１の外側に設置される中継ボックスＡ２を介して地中へと引き回される第２電線Ｌ２を配線している。この第２電線Ｌ２を、地中を通して電線引込支柱Ｐ１のポール本体１内部に引き回し、コンセント２に配線する。これにより、分電盤Ａ１を介して主電線を分岐してコンセント２に配線することができる。
【００３７】
なお、図５（ａ）に示すように、分電盤Ａ１から引き回される第２電線Ｌ２を配線する端子台４２をボックス４内に設けてもよい。端子台４２は、図５（ｂ）に示すように、第２電線Ｌ２を配線する１次側端子台４２０と、コンセント２に配線する第３電線Ｌ３が引き出される２次側端子台４２１とを備える。これにより、第２電線Ｌ２をコンセント２に直接配線するのではなく、端子台４２を介してコンセント２に配線することができる。例えば、ポール本体１を地表Ｇ１に立設する際にはコンセント２をポール本体１に取り付けず、将来的にコンセント２をポール本体１に取り付ける場合を考える。この場合、第２電線Ｌ２をコンセント２に直接配線する場合と比較して、ボックス４から端子台４２を介してコンセント２に配線するため、配線作業が容易となる。
【００３８】
（実施形態２）
以下、本発明に係る電線引込支柱の実施形態２について図面を用いて説明する。但し、本実施形態の基本的な構成は実施形態１と共通であるので、共通する部位には同一の番号を付して説明を省略する。本実施形態は、図６（ａ），（ｂ）に示すように、ポール本体１と、コンセント５と、取付金具６と、露出ボックス７と、スイッチ８とを備える。
【００３９】
コンセント５は、実施形態１のコンセント２と同様に屋外用のＥＶコンセントであって、図８に示すように、ボディ２０と、化粧カバー５０と、コンセントカバー２２とを備える。ボディ２０の後部には、上下方向に沿って長尺な平板状の基体２００を一体に形成している。なお、本実施形態の基体２００は、その下端部を実施形態１の基体２００よりも下方に延長している。
【００４０】
化粧カバー５０は、実施形態１と同様に中空状に形成した合成樹脂成形品であって、ボディ２０の上面、前面及び側面を覆うようにボディ２０に着脱自在に取り付ける。但し、本実施形態の化粧カバー５０は、その前部がコンセント５の充電部を覆う位置と開放する位置との間で開閉自在な扉体５００となっている。
【００４１】
取付金具６は、実施形態１の取付金具３と同様に鋼板から成り、図６（ｃ），（ｄ）に示すように後面を開口した矩形箱状に形成している。取付金具６の前面は、後述する露出ボックス７の後端部を取り付けることのできる平坦な面となっている。なお、本実施形態の取付金具６は、その上端部を実施形態１の取付金具３よりも上方に延長している。
【００４２】
取付金具６の前面には、後述する露出ボックス７を取り付けるための４対の取付孔６０を貫設している。したがって、取付金具６の前面及び各取付孔６０が、露出ボックス７を着脱自在に取付可能な第１取付部３０となる。取付金具６をポール本体１に取り付ける際には、パッキン３２も併せて取り付ける。パッキン３２は、図６（ｅ）に示すように実施形態１と同じ構成である。
【００４３】
露出ボックス７は、図９に示すように、ベース部７０とカバー部７１とを結合した上下方向に長尺な箱体から成る。ベース部７０は、例えば合成樹脂成形品から成り、矩形状の背面部７００と、背面部７００の下端から前向きに突出する下面部７０１とを一体に備えている。背面部７００には、取付金具６にねじ止めするための複数（図示では４対）の取付孔７０２を貫設している。
【００４４】
背面部７００の前面には、前向きに突出する複数（図示では４対）のボス部７０３を一体に形成している。各ボス部７０３には、取付ねじＳ２が螺合するねじ穴７０４を設けている。また、背面部７００の前面には、上側及び左右の周囲に沿って前向きに突出する突出壁７０５を一体に形成している。更に、背面部７００の前面には、突出壁７０５及び下面部７０１で囲まれた領域を複数の小領域に区切るように前向きに突出する複数（図示では５つ）の仕切壁７０６を一体に形成している。
【００４５】
背面部７００には、第２電線Ｌ２又は第３電線Ｌ３を外部から引き込むための挿通孔となる円形状のノックアウト部７０７を形成している。また、下面部７０１にも、同じく第２電線Ｌ２又は第３電線Ｌ３を外部から引き込むための挿通孔となる円形状のノックアウト部７０８を形成している。これらノックアウト部７０７，７０８は、必要に応じて打ち抜くことで、挿通孔として利用することができる。
【００４６】
カバー部７１は、例えば合成樹脂成形品から成り、矩形状の正面部７１０と、正面部７１０の左右両端から後向きに延設した２つの側面部７１１と、正面部７１０の上端から後向きに延設した上面部７１２とを一体に備えている。
【００４７】
正面部７１０には、電線を挿通するための矩形状の開口７１３を上下方向に沿って２つ貫設している。各開口７１３の周囲は、それぞれ正面部７１０の前面よりも後向きに窪んでいる。これらの窪みは、コンセント５及びスイッチ８にそれぞれ設けられるパッキン（図示せず）を取り付けるためのパッキン取付部７１４となっている。各パッキン取付部７１４の四隅には、取付ねじＳ２が挿通する取付孔７１５を貫設している。また、各パッキン取付部７１４の上端中央部及び下端中央部には、互いに近付く向きに延びた筒状の固定部７１６をそれぞれ設けている。各固定部７１６には、取付ねじＳ２が挿通する孔部７１７を貫設している。
【００４８】
スイッチ８は、コンセント５に差し込まれたプラグ（図示せず）と外部電源（図示せず）との間の通電のオン／オフを切り替える装置である。スイッチ８は、図８に示すように、スイッチ本体８０と、操作ハンドル８１と、枠体８２と、蓋部８３と、取付枠８４とを備える。
【００４９】
スイッチ本体８０は、外部電源からの電線（第２電線Ｌ２又は第３電線Ｌ３）を一端に接続し、コンセント５からの電線（図示せず）を他端に接続している。そして、スイッチ本体８０は、両端間の通電のオン／オフを切り替えることで、外部電源とコンセント５との間を通電状態と絶縁状態との間で切り替える。
【００５０】
操作ハンドル８１は、スイッチ本体８０の前面に取り付ける。この操作ハンドル８１を押操作することで、スイッチ本体８０のオン／オフを切り替える。枠体８２は、操作ハンドル８１の周囲を覆うように設けている。枠体８２の後面には、図示しないがパッキンを取り付けている。これにより、枠体８２と露出ボックス７との間から雨水等が浸入するのを防止することができる。また、枠体８２の上端中央部及び下端中央部には、取付枠８４にねじ止めするための組立ねじ８２０をそれぞれ備え付けている。蓋部８３は、操作ハンドル８１を覆う位置と開放する位置との間で開閉自在となるように枠体８２に取り付けている。
【００５１】
取付枠８４は、例えば金属や樹脂などで形成し、その中央にスイッチ本体８０を取り付ける。取付枠８４の上端中央部及び下端中央部には、露出ボックス７にねじ止めするための第１取付孔８４０をそれぞれ貫設している。更に、各第１取付孔８４０を挟んだ上下両側には、枠体８２をねじ止めするための第２取付孔８４１をそれぞれ貫設している。
【００５２】
以下、コンセント５及びスイッチ８をポール本体１に取り付ける方法について説明する。先ず、図７に示すように、パッキン３２の封止部３２１をポール本体１の引出し口１０に嵌め込む。続いて、取付金具６の第２取付部３１をポール本体１の外周面に当接し、ポール本体１の各取付孔１１と取付金具６の各第２取付孔３０４に取付ねじＳ１を挿通し、取付金具６をポール本体１にねじ止めする。このとき、パッキン３２の周壁部３２０が取付金具６の突壁部３０２の外周面に密着する。これにより、取付金具３とポール本体１との間から雨水等が浸入するのを防止することができる。
【００５３】
次に、図８に示すように、取付金具６の各取付孔６０とベース部７０の各取付孔７０２に取付ねじＳ２を挿通し、ベース部７０をポール本体１にねじ止めする。続いて、ベース部７０のノックアウト部７０７を打ち抜いて挿通孔とし、ポール本体１の引出し口１０及び挿通孔を通して第２電線Ｌ２又は第３電線Ｌ３を引き込む。その後、ベース部７０の各ボス部７０３のねじ穴７０４と、カバー部７１の各取付孔７１５とに取付ねじＳ２を挿通してねじ止めすることにより、ベース部７０とカバー部７１とを結合する。
【００５４】
次に、スイッチ８の取付枠８４の各第１取付孔８４０と、カバー部７１の各孔部７１７に取付ねじＳ２を挿通し、スイッチ８の取付枠８４をカバー部７２の上側にねじ止めする。また、コンセント５の取付枠２３の各第１取付孔２３１と、カバー部７１の各孔部７１７に取付ねじＳ２を挿通し、コンセント５の取付枠２３をカバー部７２の下側にねじ止めする。
【００５５】
その後、第２電線Ｌ２又は第３電線Ｌ３を配線したスイッチ本体８０を取付枠８４に取り付け、操作ハンドル８１をスイッチ本体８０の前面に取り付ける。そして、枠体８２の各組立ねじ８２０を取付枠８４の各第２取付孔８４１に挿通し、枠体８２を取付枠８４にねじ止めする。これにより、取付金具６及び露出ボックス７を介してスイッチ８をポール本体１に取り付けることができる。
【００５６】
また、スイッチ本体８０からの電線をコンセント５に配線し、基体２００の各取付孔２０１と取付枠２３の各第２取付孔２３２に取付ねじＳ２を挿通し、コンセント２を取付枠２３にねじ止めする。これにより、取付金具６及び露出ボックス７を介してコンセント５をポール本体１に取り付けることができる。
【００５７】
上述のように、本実施形態では、露出ボックス７を用いることでコンセント５及びスイッチ８の両方をポール本体１に取り付けることができる。また、本実施形態では、露出ボックス７をポール本体１に取り付けるための取付金具６を備えている。そして、取付金具６は、平坦な面から成り且つ露出ボックス７を着脱自在に取付可能な第１取付部３０と、ポール本体１への取付面がポール本体１の外周形状に沿って湾曲した第２取付部３１とを備えている。したがって、本実施形態では、取付金具６を用いることで、取付面が平坦な露出ボックス７を円筒状のポール本体１に安定して取り付けることができる。
【００５８】
なお、本実施形態は、上記の配電システムの実施形態に適用可能であることは言うまでもない。本実施形態を配電システムの実施形態に適用する場合には、コンセント２をコンセント５及び露出ボックス７に、取付金具３を取付金具６に置き換えればよい。
【符号の説明】
【００５９】
１  ポール本体
２  コンセント
３  取付金具
３０  第１取付部
３１  第２取付部
【図１】
0005942249.tif 000002
【図２】
0005942249.tif 000003
【図３】
0005942249.tif 000004
【図４】
0005942249.tif 000005
【図５】
0005942249.tif 000006
【図６】
0005942249.tif 000007
【図７】
0005942249.tif 000008
【図８】
0005942249.tif 000009
【図９】
0005942249.tif 000010